(57)【特許請求の範囲】
【請求項１】
ＬＥＤを用いてこのＬＥＤを発光させるようにしたＬＥＤ照明装置であって、
手摺り笠木等の建築部材に設けられた照明装置取付用凹溝に嵌合固定される金属形材からなる本体ケースと、この本体ケース内にその長手方向に一定間隔に取り付けられ、夫々の定位置に複数のＬＥＤを実装した複数のＬＥＤ基板と、これらＬＥＤ基板を電気的に接続する接続配線と、この接続配線の両端部に設けられたジョイントコネクターとを備え、  本体ケースは、両側壁部と、両側壁部の下端部側どうしをつなぐ連結壁部と、連結壁部の下面の両側端部にＬＥＤ基板の両側端部が嵌合するように形成された両側一対の嵌合凹部と、両側壁部の夫々上側端部に夫々外向きに突設されていて、照明装置取付用凹溝の対向壁面の夫々奥部に設けられた係嵌凹部に係嵌する両側一対の係嵌突起とからなるもので、連結壁部の下面と両側一対の嵌合凹部との間にＬＥＤ基板を嵌合保持して、ＬＥＤ基板の下面に実装したＬＥＤを両側一対の嵌合凹部の間から発光できるようにしたことを特徴とするＬＥＤ照明装置。
【請求項２】
本体ケースの連結壁部は両側壁部と直交するように形成されている請求項１に記載のＬＥＤ照明装置。
【請求項３】
本体ケースの連結壁部は両側壁部と斜交するように形成されている請求項１に記載のＬＥＤ照明装置。
【発明の詳細な説明】
【技術分野】
【０００１】
本発明は、光源にＬＥＤを用いたＬＥＤ照明装置に関し、例えば、ベランダの手摺り等の建築部材に取り付けて使用されるＬＥＤ照明装置に関する。
【背景技術】
【０００２】
従来のＬＥＤ照明装置として、例えば下記特許文献１に記載されたようなものがある。これは、透光ケースと、この透光ケースに内に保持されようにその内部に収容され、複数のＬＥＤがその面上に実装されるＬＥＤ基板とからなるもので、透光ケースの両端部には従来の蛍光灯用照明装置の受口に挿入して電気的に接続するための端子を備えている。
【０００３】
特許文献１に開示されているようなＬＥＤ照明装置は、従来用いられていた蛍光灯照明具に代わるもので、外部構造的には蛍光ランプと同様であって、透光ケースの両端部に設けてある端子を既設の蛍光灯用照明装置の受口に接続させるようにしたものであるから、例えばベランダの手摺りの全長に亘って複数のＬＥＤ照明装置を一列状に取り付けようとすれば、手摺りに蛍光灯用照明装置の受口を設置する必要があり、その受口を設置するには一定のスペースを必要とするため、受口を設置した領域では照明が分断される、という不都合があるうえ、施工に非常に手間がかかるという問題が考えられる。
【先行技術文献】
【特許文献】
【０００４】
【特許文献１】特開２０１０−９７７６３号公報
【発明の概要】
【発明が解決しようとする課題】
【０００５】
本発明は、上記の問題点に鑑み、照明装置を一列状に連続的に設置できると共に、施工が簡単に行えるＬＥＤ照明装置を提供することを目的とする。
【課題を解決するための手段】
【０００６】
上記課題を解決するための手段を、後述する実施形態の参照符号を付して説明すると、請求項１に係る発明は、ＬＥＤ６を用いてこのＬＥＤ６を発光させるようにしたＬＥＤ照明装置７であって、
手摺り笠木２等の建築部材に設けられた照明装置取付用凹溝１０に嵌合固定される金属形材からなる本体ケース１２と、この本体ケース１２内にその長手方向に一定間隔に取り付けられ、夫々の定位置に複数のＬＥＤ６を実装した複数のＬＥＤ基板１４と、これらＬＥＤ基板１４を電気的に接続する接続配線１５と、この接続配線１５の両端部に設けられたジョイントコネクター２６，２７とを備え、
本体ケース１２は、両側壁部１７，１８と、両側壁部１７，１８の下端部側どうしをつなぐ連結壁部１９と、連結壁部１７の下面の両側端部にＬＥＤ基板１４の両側端部が嵌合するように形成された両側一対の嵌合凹部２０，２１と、両側壁部１７，１８の夫々上側端部に夫々外向きに突設されていて、照明装置取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合保持して、ＬＥＤ基板１４の下面に実装したＬＥＤ６を両側一対の嵌合凹部２０，２１の間から発光できるようにしたことを特徴とする。
【０００８】
請求項２は、請求項１に記載のＬＥＤ照明装置において、本体ケース１２の連結壁部１９は両側壁部１７，１８と直交するように形成されていることを特徴とする。
【０００９】
請求項３は、請求項１に記載のＬＥＤ照明装置において、本体ケース１２の連結壁部１９は両側壁部１７，１８と斜交するように形成されていることを特徴とする。
【発明の効果】
【００１０】
上記解決手段による発明の効果を、後述する実施形態の参照符号を付して説明すると、請求項１に係る発明のＬＥＤ照明装置７は、手摺り笠木２等の建築部材に設けられた照明装置取付用凹溝１０に嵌合固定される金属形材からなる本体ケース１２と、この本体ケース１２内にその長手方向に一定間隔に取り付けられ、夫々の定位置に複数のＬＥＤ６を実装した複数のＬＥＤ基板１４と、これらＬＥＤ基板１４を電気的に接続する接続配線１５と、この接続配線１５の両端部に設けられたジョイントコネクター２６，２７とを備えたＬＥＤユニットからなるため、ＬＥＤ照明装置７の設置にあたって、これを工場生産し、設置現場において、手摺り笠木２等の建築部材の照明装置取付用凹溝１０にワンタッチで嵌め込みでき、また現場での設置長さに応じてＬＥＤ照明装置７を所要本数使用すると共に、本体ケース１２を適当長さにカットして、夫々の両端部のあるジョイントコネクター２６，２７を接続すればよいから、簡単な施工によってＬＥＤ照明装置７を一列状に連続的に設置することができる。
【００１１】
加えて、本体ケース１２は、両側壁部１７，１８と、両側壁部１７，１８の下端部側どうしをつなぐ連結壁部１９と、連結壁部１７の下面の両側端部にＬＥＤ基板１４の両側端部が嵌合するように形成された両側一対の嵌合凹部２０，２１と、両側壁部１７，１８の夫々上側端部に夫々外向きに突設されていて、照明装置取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合保持して、ＬＥＤ基板１４の下面に実装したＬＥＤ６を両側一対の嵌合凹部２０，２１の間から発光できるようにしたから、本体ケース１２の両側壁部１７，１８を手摺り笠木２等建築部材側の照明装置取付用凹溝１０に押し込むことにより、係嵌突起２４，２５が壁面１０ａ，１０ｂの奥部に設けられた係嵌凹部２２，２３に係嵌して、本体ケース１２を、凹溝１０に対し抜け出し不能に簡単に固定することができる。
【００１２】
請求項２に係る発明のように、本体ケース１２の連結壁部１９が両側壁部１７，１８と直交するように形成される場合には、連結壁部１９の下面に沿って取り付けられるＬＥＤ基板１４も水平に位置し、このＬＥＤ基板１４の下面に配設されるＬＥＤ６も水平に位置するから、ＬＥＤ６から発光される光は、ほぼ垂直下向きに投射されることになる。
【００１３】
請求項３に係る発明のように、本体ケース１２の連結壁部１９が両側壁部１７，１８と斜交するように形成される場合には、連結壁部１９の下面に沿って取り付けられるＬＥＤ基板１４は水平面に対し所定角度傾斜し、従ってＬＥＤ基板１４の下面に配設されるＬＥＤ６も連結壁部１９に対し所定角度傾斜するから、ＬＥＤ６から発光される光は、斜め下向きに投射されることになる。
【図面の簡単な説明】
【００１４】
【図１】(a) は本発明に係るＬＥＤ照明装置を備えた手摺りを室外側から見た正面図、(b) は(a) のＡ−Ａ線拡大断面図である。
【図２】図１の(a) のＢ−Ｂ線拡大断面図である。
【図３】(a) は図２の矢印Ｃで示す部分の拡大図、(b) は(a) に示すＬＥＤユニットを照明装置取付用凹溝に嵌め込もうとしている状態を示す拡大斜視図である。
【図４】ＬＥＤ照明装置を示す拡大斜視図である。
【図５】(a) は他の形態のＬＥＤ照明装置を備えた手摺りを示す図２と同様な断面図、(b) は(a) に示すＬＥＤ照明装置を照明装置取付用凹溝から取り外した状態の断面図である。
【図６】手摺り笠木の室内側下方に設けられた補助手摺りを室内側から見た正面図で、この補助手摺りに本発明に係るＬＥＤ照明装置を装備している。
【図７】図８の一部拡大図である。
【図８】図６のＤ−Ｄ線拡大断面図である。
【図９】(a) は補助手摺りの取付アームの他の例を示す図７と同様な断面図、(b) は(a) に示す補助手摺りを示す断面図である。
【発明を実施するための形態】
【００１５】
以下に本発明の好適な実施形態を図面にもとづいて説明すると、図１及び図２にはベランダの室外側端部に設置された手摺り４０を室外側から見たもので、この手摺り４０は、ベランダ通路Ｔの室外側端部に設けられた堰壁Ｓ上に沿って支柱１を一定間隔に立設し、これら支柱１・・・の上端部に手摺り笠木２を架け渡すと共に、隣り合う支柱１，１の下端部どうしを下枠３によって連結し、隣り合う両支柱１，１と手摺り笠木２と下枠３とで形成される区画４内にガラス板（パネル）５を嵌装してなるものである。
【００１６】
手摺り笠木２は、図２に示すように、その通路Ｔ側端部２ａが支柱１の通路側側面１ａよりベランダ通路Ｔ側へ出っ張るように形成されると共に、通路Ｔと反対側の端部である屋外側端部２ｂが支柱１の屋外側側面１ｂよりも屋外側へ若干出っ張るように形成され、通路Ｔ側の出っ張り端部２ａの下面側には、多数のＬＥＤ６を笠木長手方向に一定間隔に配設してなる本発明のＬＥＤ照明装置７が装備され、このＬＥＤ照明装置７によってベランダ通路Ｔを照らすことができるようになっている。そして、手摺り笠木２の屋外側端部２ｂと下枠３と隣り合う両支柱１，１とによって形成される区画４内に前記ガラス板５が嵌装されている。
【００１７】
また手摺り笠木２は、図２に示すように、支柱１の上端面に載設固定されるアルミ押出形材製の基枠８と、この基枠８の上面側を覆うように流線型状に形成されてい、基枠８に対し取外し可能に係嵌固定されるアルミ押出形材製の笠木本体９とからなるもので、手摺り笠木２全体の横断面形状において、通路側出っ張り端部２ａが比較的細い流線型に形成され、その反対側の屋外側端部２ｂが比較的太い流線型に形成されている。
【００１８】
また図２に示すように、手摺り笠木２を形成する基枠８の下面には、手摺り笠木２の通路側出っ張り端部２ａに、照明装置取付用凹溝１０が笠木長手方向に沿ってその全長に亘り凹設され、それと反対側の屋外側端部２ｂにはガラス板嵌合部１１が凹設されている。基枠８の両側端部に被係嵌部８ａ，８ｂが形成され、笠木本体９の両側端には、基枠８の被係嵌部８ａ，８ｂに係嵌可能な係嵌部９ａ，９ｂが形成され、しかして笠木本体９は、その係嵌部９ａ，９ｂを基枠８の被係嵌部８ａ，８ｂに係嵌させることにより、基枠８に対し取外し可能に係嵌固定される。
【００１９】
本発明に係るＬＥＤ照明装置７は、図３の(a) ，(b) 及び図４に示すように、手摺り笠木２の通路側出っ張り端部２ａの下面に笠木長手方向に沿って凹設された照明装置取付用凹溝１０に嵌合固定され、所定長さに切断可能なアルミ押出形材からなる本体ケースと、この本体ケース１２内にその長手方向に一定間隔に保持されて、夫々複数のＬＥＤ６を定位置に実装した複数のＬＥＤ基板１４と、これらＬＥＤ基板１４を電気的に接続する接続配線１５と、この接続配線１５の両端部に設けられたジョイントコネクター２６，２７とを備えたＬＥＤユニットからなるもので、図示しない電源用電線から前記接続配線１５により給電され、図示しない制御装置によって点灯／消灯制御されるようになっている。
【００２０】
前記本体ケース１２は、アルミ押出形材からなるもので、図３の(a) ，(b) 及び図４に示すように、両側壁部１７，１８と、両側壁部１７，１８の下端部側どうしをつなぐ連結壁部１９と、この連結壁部１９の下面側の両側端部にＬＥＤ基板１４の両側端部が嵌合するように対向形成された両側一対の嵌合凹部２０，２１と、両側壁部１７，１８の夫々上端部に夫々外向きに突設されていて、前記照明装置取付用凹溝１０の対向壁面１０ａ，１０ｂの夫々奥部に設けられた係嵌凹部２２，２３に係嵌する両側一対の係嵌突起２４，２５とによって構成され、連結壁部１９の下面と両側一対の嵌合凹部２０，２１との間にＬＥＤ基板１４を嵌合保持して、このＬＥＤ基板１４の下面側に取り付けられたＬＥＤ６を両側一対の嵌合凹部２０，２１の間から下方へ向けて発光できるようになっている。尚、両側壁部１７，１８は、図３の(b) に示すように、上端部に形成された両係嵌突起２４，２５の外法幅Ｗａが照明装置取付用凹溝１０の対向壁面１０ａ，１０ｂの内法幅Ｗｂよりも僅かに大きくなるように形成されている。
【００２１】
前記ＬＥＤ照明装置７をＬＥＤユニットとして組み立てるには、各ＬＥＤ基板１４の表面側所定位置に、例えば２個のＬＥＤ６（図４参照）と１個の抵抗（図示省略）とを実装して、この基板１４の裏面側にプリントされている配線（図示省略）と接続する。そして、本体ケース１２を図４に示すように逆様に引っ繰り返した状態で、この本体ケース１２の一端側から、所要数個のＬＥＤ基板１４・・・を、連結壁部１９と両側一対の嵌合凹部２０，２１との間に挿入嵌合して、これらのＬＥＤ基板１４・・・を同図に示すように所定間隔に位置決めし、連結壁部１９の背面側に逃がした接続配線１５によってこれらのＬＥＤ基板１４・・・を電気的に接続する。また、図４に示すように、接続配線１５の両端部には夫々、ジョイントコネクターのオス端子２６とメス端子２７を取り付ける。また、ＬＥＤ基板１４を配設した本体ケース１２の連結壁部１９の下部側には、図３の(a) に少しだけ示すように、シール材３６を、ＬＥＤ基板１４が埋め尽くされると共にＬＥＤ６の表面のみが下向きに露出する状態となるように装填して、防水処理を施す。このシール材３６としては、液状又は半液状の硬化性シリコン樹脂等を使用する。この硬化性シリコン樹脂を使用する場合、シール材３６はＬＥＤ基板１４を連結壁部１９の下部側に固定するための保持部材としても利用可能である。
【００２２】
上記のようにしてユニットに組み立てられるＬＥＤ照明装置７は、例えば図１の(a) に示す手摺りの隣り合う支柱１，１間のピッチに相当する長さに形成されていて、所要本数のＬＥＤ照明装置７を、手摺り笠木２の通路側出っ張り端部２ａの照明装置取付用凹溝１０に対して、この凹溝１０の一端部側から順次、図３の(b) に示すような状態で嵌め込んでいき、手摺り笠木２の全長に亘ってその照明装置取付用凹溝１０内で本体ケース１２の端面どうしが当接し合う状態に取り付ける。この取付けの際に、各ＬＥＤ照明装置７は、図４に示すようなジョイントコネクターのオス端子２６とメス端子２７とを、本体ケース１２内で互いに他のＬＥＤ照明装置７のジョイントコネクターのオス端子２６とメス端子２７とに凹凸嵌合することよって相互に電気的に接続し、手摺り笠木２の全長に形成されている照明装置取付用凹溝１０に亘って一連のＬＥＤ照明装置７・・・を間断なく連続的に取り付ける。そして、この一連のＬＥＤ照明装置７・・・の一端側のジョイントコネクター２６，２７を電源側配線のメス端子とオス端子とに接続して給電可能な状態とする。尚、この一連のＬＥＤ照明装置７の他端側では、ジョイントコネクターのオス端子２６とメス端子２７と互いに係合させればよい。
【００２３】
また、上記のように、一定長さのＬＥＤ照明装置７を所要本数、手摺り笠木２の照明装置取付用凹溝１０の一端側から他端側へその全長に亘って順次嵌め込んでいって、最後に嵌め込むＬＥＤ照明装置７が残りの凹溝１０部分よりも長くなる場合は、その長い分だけその照明装置７の本体ケース１２を切断し、不要のＬＥＤ基板１４を適宜に取り外して、接続配線１５を適宜調整すればよく、また逆に残りの凹溝１０部分の長さが１本のＬＥＤ照明装置７より短い場合は、本体ケース１２を所要長さに切断し、不要のＬＥＤ基板１４を取り外して、接続配線１５を適宜調整したＬＥＤ照明装置７を嵌め込むことによって、手摺り笠木２の照明装置取付用凹溝１０の全長に亘ってＬＥＤ照明装置７を一列状に間断なく連続的に取り付けることができる。
【００２４】
また、ＬＥＤ照明装置７の本体ケース１２を手摺り笠木２の照明装置取付用凹溝１０に嵌合するにあたって、両側壁部１７，１８上端部の両係嵌突起２４，２５は図３の(b) に示すように外法幅Ｗａが照明装置取付用凹溝１０の対向壁面１０ａ，１０ｂの内法幅Ｗｂよりも僅かに大きいため、両側壁部１７，１８の上端部側を凹溝１０の対向壁面１０ａ，１０ｂに対して若干傾斜させた状態から照明装置取付用凹溝１０に突入させて、係嵌突起２４，２５を凹溝１０の壁面１０ａ，１０ｂに添わせながら押し込むことにより、係嵌突起２４，２５が壁面１０ａ，１０ｂの奥部に設けられた係嵌凹部２２，２３に係嵌し、本体ケース１２は、凹溝１０に対し抜け出し不能に固定される。
【００２５】
また、図３に示すように、本体ケース１２の連結壁部１９は両側壁部１７，１８に対し所定角度で斜交するように形成されていることから、この連結壁部１９の下面に沿って取り付けられるＬＥＤ基板１４は水平面に対し所定角度（例えば水平面に対し室内側上り傾斜３０°）傾斜し、従ってＬＥＤ基板１４の下面に配設されるＬＥＤ６も水平面に対して所定角度傾斜することになるため、手摺りの使用においてＬＥＤ照明装置７のＬＥＤ基板１４のＬＥＤ６から発光される光は、図２に示すように、手摺り笠木２の通路側出っ張り端部２ａから室内側へ例えば３０°の傾斜角度でベランダ通路を照らすようになる。後記のように本体ケース１２の連結壁部１９が両側壁部１７，１８と直交するように形成されるならば、ＬＥＤ６からの光はベランダ通路Ｔの室外寄り部分を照らすことになる。
【００２６】
以上、図１〜図４によって説明した実施形態の手摺りのように、手摺り笠木２を、その通路側端部２ａが支柱１よりベランダ通路Ｔ側へ出っ張るように形成し、この手摺り笠木２の通路側出っ張り端部２ａ下面側に多数のＬＥＤ６を笠木長手方向に一定間隔に配設してなるＬＥＤ照明装置７を取り付け、このＬＥＤ照明装置７によって通路Ｔ部分を照らすようにしたから、例えばベランダで夜間に洗濯物を干すような場合に、ＬＥＤ６を発光させることにより、室内の照明がカーテン等で遮断されていても、ベランダが明るくなって物干しが非常にやり易くなる。また、ＬＥＤ６が手摺り笠木２の通路側出っ張り端部２ａ下面側に設けてあるため、多層階集合住宅の場合には、ＬＥＤ６からの光が、手摺りを越えて下階のベランダに漏れ出るような不都合がない。また手摺り笠木２の通路側出っ張り端部２ａ下面側に設けたＬＥＤ照明装置７の使用によって、ベランダ以外の段差のある通路や階段では、歩行者の足元を的確に照らすことができるため、歩行者の安全を十分に確保できる。
【００２７】
また、ＬＥＤ照明装置７は、手摺り笠木２の通路側出っ張り端部２ａの下面に笠木長手方向に沿って凹設された照明装置取付用凹溝１０に嵌合固定される長尺状の本体ケース１２と、本体ケース１２内にその長手方向に一定間隔に保持されて、夫々複数のＬＥＤ６を定位置に配設した複数のＬＥＤ基板１４と、これらＬＥＤ基板１４を電気的に接続する接続配線１５と、接続配線１５の両端部に設けられたジョイントコネクター２６，２７とを備えたＬＥＤユニットからなるため、ＬＥＤ照明装置７の設置にあたっては、このＬＥＤユニットを工場生産し、このＬＥＤユニットを設置現場において、手摺りの取付け後に、手摺り笠木２の通路側出っ張り端部２ａに設けてある照明装置取付用凹溝１０にワンタッチで嵌合固定でき、また現場での手摺り笠木２の長さに応じてＬＥＤ照明装置７を所要数使用すると共に、本体ケース１２を適当長さにカットして、夫々の両端部のあるジョイントコネクター２６，２７を接続すればよいから、簡単な施工によってＬＥＤ照明装置７を一列状に連続的に設置することができる。
【００２８】
そして、上記ＬＥＤ照明装置７の本体ケース１２は、両側壁部１７，１８と、両側壁部１７，１８の下端部側どうしをつなぐ連結壁部１９と、連結壁部１９の下面の両側端部にＬＥＤ基板１４の両側端部が嵌合するように形成された両側一対の嵌合凹部２０，２１と、両側壁部２０，２１の夫々上側端部に外向きに突設されていて、照明装置取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合して保持し、ＬＥＤ基板１４の下面に取り付けたＬＥＤ６を両側一対の嵌合凹部２０，２１の間から発光できるようにしたから、本体ケース１２の両側壁部１７，１８を手摺り笠木２側の照明装置取付用凹溝１０に押し込むことにより、係嵌突起２４，２５が壁面１０ａ，１０ｂの奥部に設けられた係嵌凹部２２，２３に係嵌して、本体ケース１２を、凹溝１０に対し抜け出し不能に簡単に固定することができる。
【００２９】
上述した実施形態の手摺りにおいて、隣り合う両支柱１，１と手摺り笠木２と下枠３とで形成される区画４内でのガラス板５の取付構造について説明すると、左右各支柱１は、図１の(b) 及び図２に示すように、角筒状の支柱本体２８と、この支柱本体２８の室外側面に突設された目地枠２９とからなり、下枠３は、左右に対向する支柱１，１の目地枠２９，２９間に介装されていて、下枠３の端部が支柱本体２８にビス３０で固定され、そして、ガラス板５は、その上端部が手摺り笠木２の基枠８のガラス嵌合部１１に嵌合され、左右各端部が目地枠２９のガラス嵌合部３２に嵌合された状態で、区画４内に嵌装されている。尚、図１の(b) 及び図２において、３３は、支柱１の目地枠２９を挟んで対向する両側の区画４，４の両下枠３，３の対向端面間の隙間３４を覆う化粧カバーで、ビス３５によって両下枠３，３に固定されている。
【００３０】
図５の(a) は他の形態のＬＥＤ照明装置７を備えた手摺りを示す図２と同様な断面図、(b) は(a) に示すＬＥＤ照明装置７を手摺り笠木２側の照明装置取付用凹溝１０から取り外した状態の断面図である。ここに示すＬＥＤ照明装置７は、図２〜図４により説明したものとほとんど同様であって、図２〜図４に示すＬＥＤ照明装置７では本体ケース１２の連結壁部１９がその両側壁部１７，１８と斜交するように形成されているのに対し、この図５の(a) に示すＬＥＤ照明装置７では本体ケース１２の連結壁部１９が両側壁部１７，１８と直交するように形成されている点が異なる。
【００３１】
即ち、図５の(b) に示すＬＥＤ照明装置７の本体ケース１２は、両側壁部１７，１８と、両側壁部１７，１８と直交するように形成され、両側壁部１７，１８の下端部側どうしをつなぐ連結壁部１９と、この連結壁部１９の下面の両側端部にＬＥＤ基板１４の両側端部が嵌合するように対向形成された両側一対の嵌合凹部２０，２１と、両側壁部１７，１８の夫々上端部に夫々外向きに突設されていて、照明装置取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合保持し、このＬＥＤ基板１４の下面側に取り付けられたＬＥＤ６を両側一対の嵌合凹部２０，２１の間から下方へ向けて発光できるようにしている。尚、図５の(b) において、３６はシール材で、図３のＬＥＤ照明装置７に示されるものと同じである。
【００３２】
従って、図５の(a) に示すようにＬＥＤ照明装置７の本体ケース１２を手摺り笠木２の通路側出っ張り端部２ａに設けた照明装置取付用凹溝１０に嵌合固定した状態において、本体ケース１２の連結壁部１９が両側壁部１７，１８と直交して、水平に位置するため、この連結壁部１９の下面に沿って取り付けられるＬＥＤ基板１４も水平に位置し、このＬＥＤ基板１４の下面に配設されるＬＥＤ６も水平に位置することになり、従ってＬＥＤ基板１４のＬＥＤ６から発光される光は、図示のようにほとんど垂直下方に投射され、ベランダ通路Ｔの室外寄り部分を照らすことになる。この場合も、ＬＥＤ６が手摺り笠木２の通路側出っ張り端部２ａに設けてあるため、多層階集合住宅の場合でも、ＬＥＤ６からの光が、手摺りを通って下階のベランダに漏れ出るような不都合がない。
【００３３】
図６は、手摺り５０に補助手摺り枠５１を設けた状態を室内側から見た正面図で、この補助手摺枠５１に本発明に係るＬＥＤ照明装置７が装備されている。この手摺り５０は、ベランダ通路の室外側端部に設けられた堰壁Ｓの上に沿って支柱１を一定間隔に立設し、これら支柱１・・・の上端部に手摺り笠木２を架け渡すと共に、隣り合う支柱１，１の下端部どうしを下枠３によって連結し、隣り合う両支柱１，１と手摺り笠木２と下枠３とで形成される区画４内に縦桟３７を格子状に配設してなるもので、この手摺り５０の室内側には手摺り５０の全長に亘って、補助手摺り枠５１が、手摺り笠木２より低い位置で、支柱１に取り付けられた取付金具５２によって固定されている。
【００３４】
補助手摺り枠５１は、図７から分かるように、アルミ押出形材からなるもので、下側部が全長に亘って開口した円筒状本体５３と、この円筒状本体５３内に一体に形成された断面略下向きコ字状のコ字枠部５４とからなり、円筒状本体５３の開口部５３ａと下向きコ字状のコ字枠部５４とによって照明装置取付用凹溝１０を形成しており、この照明装置取付用凹溝１０にＬＥＤ照明装置７が嵌合固定されるようになっている。このＬＥＤ照明装置７は、図５によって説明したものと全く同じ構造のＬＥＤユニットであるため、同一部材には同一符号を付して、その説明を省略する。
【００３５】
取付金具５２は、側面視が図７、図８に示すような略々Ｎ字状のアルミ製取付金具で、横断面略々Ｎ字状のアルミ押出形材を一定幅に切断して形成されたものであって、図８に示すように下部側の取付板部５２ａと、取付板部５２ａの上端から下向き傾斜状に延びた中間板部５２ｂと、中間板部５２ｂ上端から上向きに延びた支持板部５２ｃとからなり、支持板部５２ｃの上部側には、補助手摺り枠５１の円筒状本体５２の横側面部に係合する円弧状係合部５２ｄが形成されている。
【００３６】
従って、ＬＥＤ照明装置７を補助手摺り枠５１に装備するにあたり、上記取付金具５２によって補助手摺り枠５１を支柱１に固定するには、例えば、取付金具５２の上部側円弧状係合部５２ｄを、補助手摺り枠５１の横側面所要部位（支柱１と対向する部位）に係合させて、ビス５５で固定した後、補助手摺り枠５１を所定高さに保持した状態で、各取付金具５２の下部側取付板部５２ａをビス５６で各支柱１の室内側側面の所要高さ位置に固定する。
【００３７】
上記のようにして補助手摺り枠５１を手摺り５０の室内側所定高さ位置に固定した後、ＬＥＤ照明装置７を、図７に示すような状態から、この補助手摺り枠５１の照明装置取付用凹溝１０に嵌め込んで固定する。ＬＥＤ照明装置７を照明装置取付用凹溝１０に嵌め込む時は、両側壁部１７，１８上端部の両係嵌突起２４，２５の外法幅が照明装置取付用凹溝１０の対向壁面１０ａ，１０ｂの内法幅よりも僅かに大きいので、両側壁部１７，１８の上端部側を対向方向に押圧変形させた状態で、照明装置取付用凹溝１０に突入させて、係嵌突起２４，２５を凹溝１０の壁面１０ａ，１０ｂに添わせつつ押し込むことにより、係嵌突起２４，２５が壁面１０ａ，１０ｂの奥部に設けられた係嵌凹部２２，２３に係嵌し、それによって本体ケース１２は、凹溝１０に対し抜け出し不能に固定される。
【００３８】
この場合も、所要本数のＬＥＤ照明装置７を、補助手摺り枠５１の照明装置取付用凹溝１０に対し、この凹溝１０の一端部側から順次嵌め込んでいき、補助手摺り枠５１の全長に亘ってその照明装置取付用凹溝１０内で本体ケース１２の端面どうしが当接し合う状態に取り付ける。この取付けの際、各ＬＥＤ照明装置７は、図４に示すようなジョイントコネクターのオス端子２６とメス端子２７とを、本体ケース１２内で互いに他のＬＥＤ照明装置７のジョイントコネクターのオス端子２６とメス端子２７とに凹凸嵌合することよって相互に電気的に接続し、手摺り笠木２の全長に形成されている照明装置取付用凹溝１０に亘って一連のＬＥＤ照明装置７・・・を間断なく連続的に取り付ける。
【００３９】
図８は、上記のようにして補助手摺り枠５１に装備したＬＥＤ照明装置７の使用状態を示したもので、これによると、手摺り５０の手摺り笠木２よりも低い位置からＬＥＤ６の光がランダ通路Ｔの室外寄り部分を照らすことができる。また、補助手摺り枠５１を手摺り４０の支柱１に固定している取付金具５２は、その上部側円弧状係合部５２ｄが補助手摺り枠５１の横側部に係合固定されているから、ＬＥＤ照明装置７のＬＥＤ６から発光される光は、取付金具５２によって部分的にも遮られることがなく、補助手摺り枠５１の全長に亘ってその下方へ有効に照らすことができる。
【００４０】
図７及び図８に示す補助手摺り枠用取付金具５２は、上部側円弧状係合部５２ｄを補助手摺り枠５１の横側部に係合固定させるようにしたものであるが、図９の(a) は、補助手摺り枠５１の下面側を受ける受部５７ｄを備えた取付金具５７を示している。即ち、この取付金具５７は、下部側の取付板部５７ａと、取付板部５７ａの上端から下向き傾斜状に延びた中間板部５７ｂと、中間板部５７ｂの上端から上向きに延びた支持板部５２ｃと、この支持板部５２ｃの上端から略水平に延びて補助手摺り枠５１の円筒状本体５２の下側面部に係合する円弧状係合部５７ｄとからなるもので、下部側取付板部５７ａをビス５６で支柱１に固定する点は前記取付金具５２と同じであるが、円弧状係合部５７ｄを補助手摺り枠５１の円筒状本体５２の下側面部に係合させて、ビス５８を、照明装置取付用凹溝１０内に嵌合されたＬＥＤ照明装置７の本体ケース１２にねじ込むことにより、本体ケース１２を固定するようにした点で若干異なる。
【００４１】
上記取付金具５７によれば、円弧状係合部５７ｄを補助手摺り枠５１の円筒状本体５２の下側面部に係合固定するようにしたから、ＬＥＤ照明装置７のＬＥＤ６から発光される光は取付金具５２の円弧状係合部５７ｄで若干遮られるが、補助手摺り枠５１を安定良く保持することができる。
【符号の説明】
【００４２】
６            ＬＥＤ
７            ＬＥＤ照明装置
１２          本体ケース
１４          ＬＥＤ基板
１５          接続配線
１７，１８    本体ケースの側壁部
１９          本体ケースの連結壁部
２０，２１    本体ケースの嵌合凹部
２７，２７    ジョイントコネクター
４０，５０    手摺り
５１          補助手摺り枠
５２          取付金具
【図１】
0005491424.tif 000002
【図２】
0005491424.tif 000003
【図３】
0005491424.tif 000004
【図４】
0005491424.tif 000005
【図５】
0005491424.tif 000006
【図６】
0005491424.tif 000007
【図７】
0005491424.tif 000008
【図８】
0005491424.tif 000009
【図９】
0005491424.tif 000010